(57)【要約】【課題】本開示は、レンズの調整を精度良く行えるレンズ保持構造を提供する。【解決手段】本開示におけるレンズ保持構造は、レンズと、座面を有し、レンズを保持する保持枠と、を備え、レンズを座面に当接させた状態におけるレンズのヨー方向の傾きと、ピッチ方向の傾きとが、レンズが保持枠に保持された状態におけるレンズのヨー方向の傾きと、ピッチ方向の傾きと実質的に同一となり、レンズと座面との間には隙間が形成されている。【選択図】図６Ａ
2014224986.tif 000002
【特許請求の範囲】
【請求項１】
レンズと、
座面を有し、前記レンズを保持する保持枠と、を備え、
前記レンズを前記座面に当接させた状態における前記レンズのヨー方向の傾きと、ピッチ方向の傾きとが、前記レンズが前記保持枠に保持された状態における前記レンズの前記ヨー方向の傾きと、前記ピッチ方向の傾きと実質的に同一となり、
前記レンズと前記座面との間には隙間が形成されている、
レンズ保持構造。
【請求項２】
前記保持枠は、前記レンズに対して前記レンズの径方向に突出した位置に設けられ、前記レンズとの間に窪みを形成する接着溜まりをさらに有し、前記接着溜まりに接着剤が注入されることで、前記レンズを保持する、
請求項１に記載のレンズ保持構造。
【請求項３】
前記接着溜まりは、前記窪みの底辺を形成する接着受け面を有し、
前記接着受け面は、前記レンズの光軸に平行な方向において、前記レンズの側面の範囲内に設けられている、
請求項２に記載のレンズ保持構造。
【請求項４】
前記保持枠は、少なくとも３つの前記座面と、少なくとも３つの前記接着溜まりと、を有し、
前記座面と、前記接着溜まりとは、それぞれ前記レンズの光軸の周方向において異なる位置に設けられている、
請求項２に記載のレンズ保持構造。
【請求項５】
レンズと、座面を有し、前記レンズを保持する保持枠と、を準備し、
前記座面に前記レンズを当接させ、
前記レンズを前記座面から遠ざける方向に平行移動させる、
レンズ保持構造の製造方法。
【請求項６】
前記レンズを前記座面から遠ざける方向に平行移動させる際に、ヨー方向の傾きと、ピッチ方向の回転軸の傾きとを実質的に変更しない、
請求項５に記載のレンズ保持構造の製造方法。
【発明の詳細な説明】
【技術分野】
【０００１】
本開示は、レンズ保持構造、及びレンズ保持構造の製造方法に関する。
【背景技術】
【０００２】
特許文献１は、デジタルスチルカメラに用いられるレンズ鏡筒を開示する。特許文献１のレンズ鏡筒は、小型化を目的としたものである。
【先行技術文献】
【特許文献】
【０００３】
【特許文献１】特開２０１０−２２４５２６号公報
【発明の概要】
【発明が解決しようとする課題】
【０００４】
本開示は、レンズの調整を精度良く行えるレンズ保持構造を提供する。
【課題を解決するための手段】
【０００５】
本開示におけるレンズ保持構造は、レンズと、座面を有し、レンズを保持する保持枠と、を備え、レンズを座面に当接させた状態におけるレンズのヨー方向の傾きと、ピッチ方向の傾きとが、レンズが保持枠に保持された状態におけるレンズのヨー方向の傾きと、ピッチ方向の傾きと実質的に同一となり、レンズと座面との間には隙間が形成されている。
【０００６】
また、本開示におけるレンズ保持構造の製造方法は、レンズと、座面を有し、レンズを保持する保持枠と、を準備し、座面にレンズを当接させ、レンズを座面から遠ざける方向に平行移動させる。
【発明の効果】
【０００７】
本開示は、レンズの調整を精度良く行えるレンズ保持構造を提供できる。
【図面の簡単な説明】
【０００８】
【図１】図１は、実施の形態１における交換レンズ９００の分解斜視図である。
【図２Ａ】図２Ａは、実施の形態１における３−４群ユニット９０３の分解斜視図である。
【図２Ｂ】図２Ｂは、実施の形態１における３−４郡ユニット９０３の側面図である。
【図２Ｃ】図２Ｃは、図２Ｂの２Ｃ−２Ｃ断面図である。
【図３Ａ】図３Ａは、実施の形態１における３−４群ユニット９０３の斜視図である。
【図３Ｂ】図３Ｂは、実施の形態１における３−４群ユニット９０３の平面図である。
【図４】図４は、実施の形態１における３群ユニット３００の斜視図である。
【図５】図５は、実施の形態１における４群ユニット４００の斜視図である。
【図６Ａ】図６Ａは、被写体側から見た３群枠３０１及びレンズＬ８の斜視図である。
【図６Ｂ】図６Ｂは、レンズＬ８〜Ｌ１１を組みつけられた３群枠３０１の断面図である。
【図７】図７は、３群枠３０１に対してレンズＬ８を接着固定する際の工程フローを示すフローチャートである。
【図８】図８は、３群枠３０１と、レンズＬ８とを準備した状態を示す模式図である。
【図９】図９は、３群枠３０１に対して、レンズＬ８を当接した状態を示す模式図である。
【図１０】図１０は、レンズＬ８を３群枠３０１に対して当接した状態において、接着溜まり３０１ｇに接着剤を注入した状態を示す模式図である。
【図１１】図１１は、接着溜まり３０１ｇに接着剤を注入した状態で、レンズＬ８の光軸方向の位置を調整している状態を示す模式図である。
【図１２】図１２は、レンズＬ８の光軸方向の位置を調整した後に、接着剤を硬化させた状態を示す模式図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
以下、図面を用いて、実施の形態１を説明する。
【００１２】
［１．交換レンズ９００の全体構成］
図１を用いて交換レンズ９００の全体構成について説明する。図１は、交換レンズ９００の分解斜視図である。
【００１３】
交換レンズ９００は、１群ユニット９０１、２群ユニット９０２、３−４群ユニット９０３、５群ユニット９０４、直進固定枠９０５、カム筒９０６、及び外装ユニット９０７で構成されている。
【００１４】
交換レンズ９００は、各部品を次の順に組み立てることで完成される。まず、カム筒９０６に対して、直進固定枠９０５、５群ユニット９０４、３−４群ユニット９０３、２群ユニット９０２が順に組み付けられる。その後、各部品が組み付けられたカム筒９０６は、１群ユニット９０１に組み付けられる。最後に、カム筒９０６が組み付けられた１群ユニット９０１は、外装ユニット９０７に組み付けられる。この手順で各部品を組み付けることで、交換レンズ９００は完成される。
【００１５】
交換レンズ９００は、外装ユニット９０７に設けられたズームリングが回転されると、ズームリングの回転に従ってカム筒９０６が回転するように構成されている。交換レンズ９００は、カム筒９０６が回転すると、１群ユニット９０１、２群ユニット９０２、３−４群ユニット９０３、５群ユニット９０４が、光軸方向に移動するように構成されている。各ユニットは、カム筒９０６に形成されるカム溝に対して係合するカムフォロアを有している。また、各ユニットは、直進固定枠９０５に形成される規制溝に対して係合する規制突起を有している。これによって、各ユニットは、直進固定枠９０５及びカム筒９０６に対して、相対的に光軸方向に移動できるように構成されている。
【００１６】
［２．３−４群ユニット９０３を構成する部品］
次に、３−４群ユニット９０３を構成する部品について図２Ａ〜図２Ｃを用いて説明する。図２Ａは、３−４群ユニット９０３の分解斜視図、図２Ｂは、３−４群ユニット９０３の側面図、図２Ｃは、図２Ｂの２Ｃ−２Ｃ断面図である。
【００１７】
図２Ａに示すように、３−４群ユニット９０３は、絞りユニット２００、３群ユニット３００、４群ユニット４００、及びシャフト保持部５００、で構成されている。
【００１８】
絞りユニット２００は、絞りベース枠２０１、絞りカバー２０２、カムピン２０３、２０４、カムピンバネ２０５、ガタ調整カムピン２０６、摺動シャフト２０７、２０８、２０９、移動規制ピン２１０、回動軸２１１、及び規制突起２１２で構成される。
【００１９】
図１に示すカム筒９０６が回転した場合、規制突起２１２（他の２つの規制突起は不図示）が図１に示す直進固定枠９０５によって回転規制される。また、カム筒９０６が回転した場合、カムピン２０３、２０４、及びガタ調整カムピン２０６がカム筒９０６のカム溝に沿って移動する。これにより、絞りユニット２００は、光軸方向に移動する。また、摺動シャフト２０７、２０８、２０９、移動規制ピン２１０、及び回動軸２１１は、３群ユニット３００によるぶれ補正を実現するために用いられている。詳細については後述する。
【００２０】
３群ユニット３００は、３群枠３０１、ヨーク３０２、３０３、マグネット３０４、３０５、位置検出センサ用マグネット３０６、遮光シート３０７、３０８、レンズＬ８、Ｌ９、Ｌ１０、Ｌ１１で構成される。
【００２１】
３群ユニット３００は、絞りユニット２００に設けられる不図示のコイルとマグネット３０４、３０５との間で生じる相互作用により、交換レンズ９００の光軸と垂直な面内で移動できる。つまり、レンズＬ８〜Ｌ１１は、レンズ内におけるぶれ補正機能を実現している。
【００２２】
具体的には、図２Ｂに示すように、３群ユニット３００は、摺動シャフト２０７、２０８、不図示の摺動シャフト２０９により交換レンズ９００の光軸方向の移動を規制されている。また、図２Ｃに示すように、３群ユニット３００は、回動軸２１１を軸として、交換レンズ９００の光軸に垂直な面内で移動する。また、移動規制ピン２１０は、３群ユニット３００に設けられた孔に挿通されている。これにより、３群ユニット３００の、交換レンズ９００の光軸に垂直な面内での移動範囲は、３群ユニット３００に設けられた孔の大きさにより制限されている。このような構成により、３群ユニット３００は、交換レンズ９００の光軸に垂直な面内において、規制された範囲内で移動できる。より具体的には、３群ユニット３００は、回動軸２１１を基準として、Ｄ１−Ｄ２方向に並進移動でき、Ｄ３−Ｄ４方向に回動移動できる。
【００２３】
また、図２Ａに示すように、レンズＬ８は、調心レンズとして、３群ユニット３００全体の光学調整に用いられる。つまり、３群ユニット３００には、より高い光学性能を持たせられる。本実施の形態では、４枚のレンズを含む３群ユニット３００全体をぶれ補正に用いている。そのため、交換レンズ９００全体のぶれ補正の性能は比較的高くなっている。
【００２４】
また、３群ユニット３００は、４枚のレンズＬ８〜Ｌ１１を保持している。３群枠３０１は、４枚のレンズＬ８〜Ｌ１１を保持するため、像面側に突出するような形状となっている。
【００２５】
４群ユニット４００は、４群枠４０１、フォーカスラックピン４０２、フォーカスラックバネ４０３、フォーカスラック４０４、シャフト４０５、４０６、フォーカスモータ４０７、ビス４０８、４０９、４１０、フォトインタラプタ４１１、及びレンズＬ１２で構成される。
【００２６】
フォーカスモータ４０７は、絞りユニット２００に対して、ビス４０８，４０９、４１０で固定される。シャフト４０５、４０６は、絞りユニット２００に設けられた不図示の孔に圧入される。４群ユニット４００の４群枠４０１は、シャフト４０５、４０６により、光軸方向への移動が可能に支持される。また、４群枠４０１は、シャフト４０５、４０６により、交換レンズ９００の光軸と垂直な面内での移動を規制される。また、４群枠４０１は、フォーカスモータ４０７の駆動力により、交換レンズ９００の光軸方向に移動される。
【００２７】
［３．３−４群ユニット９０３の具体的構成］
次に、３−４群ユニット９０３の具体的構成について図３Ａ〜図５を用いて説明する。図３Ａは、像面側から見た３−４群ユニット９０３の斜視図、図３Ｂは、像面側から見た３−４群ユニット９０３の平面図、図４は、３群ユニット３００を説明するための斜視図、図５は、４群ユニット４００を説明するための斜視図である。
【００２８】
図３Ａ、図３Ｂに示すように、３−４群ユニット９０３は、絞りユニット２００、３群ユニット３００、４群ユニット４００、及びシャフト保持部５００を有する。また、３−４群ユニット９０３において、３群ユニット３００の接着溜まり３０１ａと、４群ユニット４００の貫通孔４０１ａとは、対応した位置に設けられている。また、３群ユニット３００の不図示の接着溜まり３０１ｂと、４群ユニット４００の不図示の貫通孔４０１ｂとは、対応した位置に設けられている。また、３群ユニット３００の接着溜まり３０１ｃと、４群ユニット４００の貫通孔４０１ｃとは、対応した位置に設けられている。
【００２９】
図４に示すように、３群ユニット３００は、３群枠３０１上に各部品を組み付けることで構成されている。３群枠３０１は、接着溜まり３０１ａ、３０１ｂ、３０１ｃを有している。接着溜まり３０１ａ、３０１ｂ、３０１ｃは、レンズＬ１１の径方向に突出した位置に設けられている。接着溜まり３０１ａ、３０１ｂ、３０１ｃは、レンズＬ１１との間に窪みを形成する。接着溜まり３０１ａ、３０１ｂ、３０１ｃに、レンズＬ１１を載置し、接着剤を注入することで、レンズＬ１１は、３群枠３０１に保持される。レンズＬ１１は、接着材により３群枠３０１に固定されることで、カシメ固定される場合と比較して、レンズＬ１１の光学性能をより高く維持できる。また、３群枠３０１は、接着溜まり３０１ａ、３０１ｂ、３０１ｃを確保しつつ、それ以外の部分を像面側により突出しないようにしている。
【００３０】
図５に示すように、４群ユニット４００は、４群枠４０１上に各部品を組み付けることで構成されている。４群枠４０１は、貫通孔４０１ａ、４０１ｂ、４０１ｃを有している。上述したように、貫通孔４０１ａ、４０１ｂ、４０１ｃは、４群ユニット４００が３群ユニット３００に対して組み付けられた状態で、それぞれ接着溜まり３０１ａ、３０１ｂ、３０１ｃと対応した位置に配置される。なお、３群ユニット３００は、交換レンズ９００の光軸と垂直な面内で移動できる。したがって、３群ユニット３００の移動範囲を、貫通孔４０１ａ、４０１ｂ、４０１ｃで規制しないよう各貫通孔の大きさが調整されている。
【００３１】
また、４群枠４０１には、レンズＬ１２が接着材により固定されている。また、４群枠４０１には、シャフト４０５、及びシャフト４０６が挿通されている。４群枠４０１は、シャフト４０５、及びシャフト４０６に沿って移動できる。４群枠４０１には、フォーカスモータ４０７が取り付けられている。４群ユニット４００は、フォーカスモータ４０７から得られる動力によって、交換レンズ９００の光軸方向に移動できる。
【００３２】
［４．３群枠３０１の具体的構成］
３群枠３０１の具体的構成について図６Ａ、図６Ｂを用いて説明する。図６Ａは、被写体側から見た３群枠３０１及びレンズＬ８の斜視図、図６Ｂは、レンズＬ８〜Ｌ１１を組みつけられた３群枠３０１の断面図である。
【００３３】
図６Ｂに示すように、３群枠３０１は、レンズＬ８〜Ｌ１１を保持する。交換レンズ９００は、３群枠３０１におけるレンズの敏感度が高くなるように光学設計されている。そのため、３群枠３０１は、単体でレンズの傾きを調整することや調芯することができるように構成されている。本実施の形態においては、レンズＬ８は、ヨー方向の回転軸上の位置、ピッチ方向の回転軸上の位置、及び交換レンズ９００の光軸上の位置に関して調整される。また、レンズＬ８は、ヨー方向の傾き、ピッチ方向の傾きに関して調整される。つまり、レンズＬ８は、５軸方向に調整された上で、３群枠３０１に接着固定される。なお、必ずしもこのような構成には限られない。例えば、レンズＬ８は、光軸周りの傾きに関しても調整されてもよい。
【００３４】
図６Ａに示すように、３群枠３０１は、接着溜まり３０１ｇ、３０１ｈ、３０１ｉを有している。接着溜まり３０１ｇ、３０１ｈ、３０１ｉは、レンズＬ８が３群枠３０１に組み付けられた状態で、レンズＬ８の径方向に突出した位置に設けられている。接着溜まり３０１ｇ、３０１ｈ、３０１ｉは、レンズＬ８が３群枠３０１に組み付けられた状態で、レンズＬ８との間に窪みを形成する。接着溜まり３０１ｇ、３０１ｈ、３０１ｉと、レンズＬ８との間に形成された窪みに接着剤が注入されることで、レンズＬ８は、３群枠３０１に対して接着固定される。より具体的には、レンズＬ８の側面と、接着溜まり３０１ｇ、３０１ｈ、３０１ｉとが接着剤を介して接着される。
【００３５】
また、接着溜まり３０１ｇ、３０１ｈ、３０１ｉと、レンズＬ８との間に形成された窪みの底辺を形成する接着受け面３０１ｊ、３０１ｋ、３０１ｌは、レンズＬ８が３群枠３０１に組み付けられた際に、レンズＬ８の側面の範囲内に収まる位置に設けられている。別の言い方をすれば、接着受け面３０１ｊ、３０１ｋ、３０１ｌは、レンズＬ８の裏面よりも表面側であって、レンズＬ８の側面の範囲内に位置される。このような構成により、接着剤がレンズＬ８の裏面側に回り込む可能性を低減している。接着剤がレンズＬ８の裏面側に回り込むと、レンズＬ８が傾いてしまう恐れがあるからである。言い換えると、接着剤がレンズＬ８の裏面側に回り込むと、レンズＬ８がチルト誤差を生じてしまう恐れがあるからである。
【００３６】
また、３群枠３０１は、座面３０１ｄ、３０１ｅ、３０１ｆを有している。本実施の形態においては、座面３０１ｄ、３０１ｅ、３０１ｆにレンズＬ８を一度当接させることで、レンズＬ８のヨー方向の傾き、及びピッチ方向の傾きが調整される。言い換えると、レンズＬ８のチルト方向の２軸の調整が行われる。具体的な調整方法に関しては後述する。また、接着溜まり３０１ｇ、３０１ｈ、３０１ｉと、座面３０１ｄ、３０１ｅ、３０１ｆとは、交換レンズ９００の光軸の周方向において、異なる位置に配置されている。言い換えると、接着溜まり３０１ｇ、３０１ｈ、３０１ｉと、座面３０１ｄ、３０１ｅ、３０１ｆとは、交換レンズ９００の光軸の周方向において、位相がずれている。このような構成により、接着溜まり３０１ｇ、３０１ｈ、３０１ｉに注入した接着剤が、座面３０１ｄ、３０１ｅ、３０１ｆに回り込み、レンズＬ８が傾いてしまう恐れを低減できる。言い換えると、レンズＬ８がチルト誤差を生じる可能性を低減できる。
【００３７】
［５．レンズＬ８の固定方法］
３群枠３０１に対してレンズＬ８を接着固定する際の方法について図７〜図１２を用いて説明する。図７は、３群枠３０１に対してレンズＬ８を接着固定する際の工程フローを示すフローチャートである。図８は、レンズＬ９〜Ｌ１１が組み付けられた３群枠３０１と、レンズＬ８とを準備した状態を示す模式図である。図９は、レンズＬ９〜Ｌ１１が組み付けられた３群枠３０１に対して、レンズＬ８を当接した状態を示す模式図である。図１０は、レンズＬ８を３群枠３０１に対して当接した状態において、接着溜まり３０１ｇに接着剤を注入した状態を示す模式図である。図１１は、接着溜まり３０１ｇに接着剤を注入した状態で、レンズＬ８の光軸方向の位置を調整している状態を示す模式図である。図１２は、レンズＬ８の光軸方向の位置を調整した後に、接着剤を硬化させた状態を示す模式図である。
【００３８】
まず、レンズＬ８と、レンズＬ９〜Ｌ１１が組み付けられた３群枠３０１とが準備される（Ｓ１００）。ステップＳ１００における状態は、図８に示すような状態である。つまり、レンズＬ９〜Ｌ１１が組み付けられた３群枠３０１が、座面３０１ｄ、座面３０１ｅ、座面３０１ｆが上を向くような状態で設置される。また、３群枠３０１の上方にレンズＬ８が準備される。
【００３９】
ステップＳ１００の準備が終わると、レンズＬ８は、座面３０１ｄ、３０１ｅ、３０１ｆに当接される（Ｓ１１０）。ステップＳ１１０における状態は、図９に示すような状態である。つまり、レンズＬ８が、座面３０１ｄ、３０１ｅ、３０１ｆに当接することで、レンズＬ８のヨー方向の傾き、及びピッチ方向の傾きが調整される。言い換えると、レンズＬ８のチルト方向の２軸が調整される。
【００４０】
ステップＳ１１０における傾き調整が終わると、接着溜まり３０１ｇ、３０１ｈ、３０１ｉに接着剤が注入される（Ｓ１２０）。ステップＳ１２０における状態は、図１０に示すような状態である。つまり、接着剤は、接着溜まり３０１ｇ、３０１ｈ、３０１ｉと、レンズＬ８の側面とを接着する。
【００４１】
ステップＳ１２０における接着剤の注入が終わると、レンズ調整機が、光軸方向にレンズＬ８を平行移動させる（Ｓ１３０）。これにより、交換レンズ９００の光軸上の位置が調整される。ステップＳ１３０における状態は、図１１に示すような状態である。なお、レンズＬ８が座面３０１ｄ、３０１ｅ、３０１ｆに当接した状態におけるレンズＬ８のヨー方向の傾きと、ピッチ方向の傾きとが、ステップＳ１３０におけるレンズＬ８のヨー方向の傾きと、ピッチ方向の傾きと実質的に同一となる。また、レンズＬ８が光軸方向に平行移動されることで、レンズＬ８と、座面３０１ｄ、３０１ｅ、３０１ｆとの間には、隙間が形成される。
【００４２】
ステップＳ１３０におけるレンズＬ８の光軸上の位置の調整が終わると、レンズ調整機が、光軸に垂直な面内でレンズＬ８を移動させる（Ｓ１４０）。これにより、レンズＬ８の光軸に垂直な面内での位置が決まる。
【００４３】
ステップＳ１４０におけるレンズＬ８の光軸に垂直な面内での位置の調整が終わると、紫外線により接着剤が硬化される（Ｓ１５０）。ステップＳ１５０における状態は、図１２に示すような状態である。この状態においても、ステップＳ１３０における状態と同様、レンズＬ８が座面３０１ｄ、３０１ｅ、３０１ｆに当接した状態におけるレンズＬ８のヨー方向の回転軸の傾きと、ピッチ方向の回転軸の傾きとが、ステップＳ１４０におけるレンズＬ８のヨー方向の回転軸の傾きと、ピッチ方向の回転軸の傾きと実質的に同一となる。また、レンズＬ８と、座面３０１ｄ、３０１ｅ、３０１ｆとの間には、隙間が形成される。
【００４４】
［６．効果等］
このように、本実施の形態に係る３群ユニット３００は、レンズＬ８と、３群枠３０１とを備える。３群枠３０１は、座面３０１ｄ、３０１ｅ、３０１ｆを有し、レンズＬ８を保持する。また、レンズＬ８を座面３０１ｄ、３０１ｅ、３０１ｆに当接させた状態におけるレンズＬ８のヨー方向の回転軸の傾きと、ピッチ方向の回転軸の傾きとが、レンズＬ８が３群枠３０１に保持された状態におけるレンズＬ８のヨー方向の回転軸の傾きと、ピッチ方向の回転軸の傾きと実質的に同一となる。また、レンズＬ８と座面３０１ｄ、３０１ｅ、３０１ｆとの間には隙間が形成されている。
【００４５】
これにより、３群枠３０１は、レンズＬ８の傾きを精度高く調整できる。
【００４６】
また、本実施の形態に係る３群枠３０１は、レンズＬ８に対してレンズＬ８の径方向に突出した位置に設けられる接着溜まり３０１ｇ、３０１ｈ、３０１ｉをさらに有する。また、接着溜まり３０１ｇ、３０１ｈ、３０１ｉは、レンズＬ８との間に窪みを形成する。また、３群枠３０１は、接着溜まり３０１ｇ、３０１ｈ、３０１ｉに接着剤が注入されることで、レンズＬ８を保持する。
【００４７】
これにより、３群枠３０１は、レンズＬ８の位置を調整する際に、接着剤が硬化するまでの間、精度高く最後の位置決めを行える。
【００４８】
また、本実施の形態に係る３群枠３０１に設けられた接着溜まり３０１ｇ、３０１ｈ、３０１ｉは、座面３０１ｄ、３０１ｅ、３０１ｆを有する。座面３０１ｄ、３０１ｅ、３０１ｆは、レンズＬ８の光軸に平行な方向において、レンズＬ８の側面の範囲内に設けられている。
【００４９】
これにより、３群枠３０１は、レンズＬ８の裏面に接着剤が回り込む恐れを低減できる。
【００５０】
また、本実施の形態に係る３群枠３０１は、少なくとも座面３０１ｄ、３０１ｅ、３０１ｆ、並びに、少なくとも接着溜まり３０１ｇ、３０１ｈ、３０１ｉを有する。また、座面３０１ｄ、３０１ｅ、３０１ｆ、並びに接着溜まり３０１ｇ、３０１ｈ、３０１ｉは、それぞれレンズＬ８の光軸の周方向において異なる位置に設けられている。
【００５１】
これにより、接着溜まり３０１ｇ、３０１ｈ、３０１ｉに注入された接着剤が、座面３０１ｄ、３０１ｅ、３０１ｆの下方に流れ込む恐れを低減できる。
【００５２】
また、本実施の形態に係る３群ユニット３００の製造方法においては、レンズＬ８と、３群枠３０１とが準備される。ここで、３群枠３０１は、座面３０１ｄ、３０１ｅ、３０１ｆを有する。３群枠３０１は、レンズＬ８を保持する。また、座面３０１ｄ、３０１ｅ、３０１ｆに、レンズＬ８が当接される。そして、レンズＬ８は、座面３０１ｄ、３０１ｅ、３０１ｆから遠ざける方向に平行移動される。
【００５３】
これにより、３群ユニット３００の製造方法は、３群枠３０１におけるレンズＬ８の、ヨー方向の傾き、ピッチ方向の傾き、及び光軸上の位置を比較的精度高く調整できる。
【００５４】
また、本実施の形態に係る３群ユニット３００の製造方法においては、レンズＬ８を座面３０１ｄ、３０１ｅ、３０１ｆから遠ざける方向に平行移動させる際に、レンズＬ８のヨー方向の傾きと、ピッチ方向の傾きとを実質的に変更しない。
【００５５】
これにより、３群ユニット３００の製造方法は、３群枠３０１におけるレンズＬ８の、ヨー方向の傾き、ピッチ方向の傾き、及び光軸上の位置を比較的精度高く調整できる。
【００５６】
以上のように、本開示における技術の例示として、実施の形態を説明した。そのために、添付図面および詳細な説明を提供した。
【００５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
また、上述の実施の形態は、本開示における技術を例示するためのものであるから、特許請求の範囲またはその均等の範囲において種々の変更、置き換え、付加、省略などを行うことができる。
【産業上の利用可能性】
【００５９】
本開示は、レンズ鏡筒に関して利用できる。レンズ鏡筒は、カメラに着脱可能な交換レンズ、カメラに固定されるレンズ鏡筒ユニット、車載カメラに固定されるレンズ鏡筒ユニット、監視カメラに固定されるレンズ鏡筒ユニット、プロジェクタに取り付けられるレンズ鏡筒ユニット等に適用される。
【符号の説明】
【００６０】
２００    絞りユニット
３００    ３群ユニット
２０１    絞りベース枠
２０２    絞りカバー
２０３    カムピン
２０４    カムピン
２０５    カムピンバネ
２０６    ガタ調整カムピン
２０７    摺動シャフト
２０８    摺動シャフト
２０９    摺動シャフト
２１０    移動規制ピン
２１１    回動軸
２１２    規制突起
３０１    ３群枠
３０１ａ    接着溜まり
３０１ｂ    接着溜まり
３０１ｃ    接着溜まり
３０１ｄ    座面
３０１ｅ    座面
３０１ｆ    座面
３０１ｇ    接着溜まり
３０１ｈ    接着溜まり
３０１ｉ    接着溜まり
３０１ｊ    接着受け面
３０１ｋ    接着受け面
３０１ｌ    接着受け面
３０２    ヨーク
３０３    ヨーク
３０４    マグネット
３０５    マグネット
３０６    位置検出センサ用マグネット
３０７    遮光シート
３０８    遮光シート
４００    ４群ユニット
４０１    ４群枠
４０１ａ    貫通孔
４０１ｂ    貫通孔
４０１ｃ    貫通孔
４０１ｄ    接着溜まり
４０２    フォーカスラックピン
４０３    フォーカスラックバネ
４０４    フォーカスラック
４０５    シャフト
４０６    シャフト
４０７    フォーカスモータ
４０８    ビス
４０９    ビス
４１０    ビス
４１１    フォトインタラプタ
５００    シャフト保持部
９００    交換レンズ
９０１    １群ユニット
９０２    ２群ユニット
９０３    ３−４群ユニット
９０４    ５群ユニット
９０５    直進固定枠
９０６    カム筒
９０７    外装ユニット
【図１】
2014224986.tif 000003
【図２Ａ】
2014224986.tif 000004
【図２Ｂ】
2014224986.tif 000005
【図２Ｃ】
2014224986.tif 000006
【図３Ａ】
2014224986.tif 000007
【図３Ｂ】
2014224986.tif 000008
【図４】
2014224986.tif 000009
【図５】
2014224986.tif 000010
【図６Ａ】
2014224986.tif 000011
【図６Ｂ】
2014224986.tif 000012
【図７】
2014224986.tif 000013
【図８】
2014224986.tif 000014
【図９】
2014224986.tif 000015
【図１０】
2014224986.tif 000016
【図１１】
2014224986.tif 000017
【図１２】
2014224986.tif 000018